(57)【要約】【課題】穂先竿をガタ付きなく且つ屈曲させることなく安定して収納保持できるとともに、構造が簡単で収納が容易な低コストの釣竿収納ケースを提供することを目的とする。【解決手段】本発明の釣竿収納ケースは、扁平形状の穂先竿５０を収納する円筒状のケース本体１０と、ケース本体１０内に保持されるとともに、穂先竿５０をケース本体１０内で支持する平板状の支持部材２０とを備える。支持部材２０は、穂先竿５０の釣糸ガイド５２を嵌挿するための貫通孔２３と、貫通孔２３に釣糸ガイド５２が嵌挿された状態で穂先竿５０の先端から突出してケース本体１０の内側に嵌合保持される保持部２０ｃとを有する。【選択図】図２
2014023465.tif 000002
【特許請求の範囲】
【請求項１】
扁平形状の穂先竿を収納する円筒状のケース本体と、前記ケース本体内に保持されるとともに、穂先竿を前記ケース本体内で支持する平板状の支持部材とを備え、
前記支持部材は、穂先竿の少なくとも基端側に設けらた釣糸ガイドを嵌挿するための貫通孔と、該貫通孔に前記釣糸ガイドが嵌挿された状態で穂先竿の先端から突出して前記ケース本体の内側に嵌合保持される保持部とを有することを特徴とする釣竿収納ケース。
【請求項２】
前記支持部材は、穂先竿を挟持するための挟持部を有することを特徴とする請求項１に記載の釣竿収納ケース。
【請求項３】
前記挟持部は、前記支持部材に設けられる切り欠きによって形成される切片を有し、前記切り欠きに通される穂先竿を前記切片によって挟持することを特徴とする請求項１または請求項２に記載の釣竿収納ケース。
【請求項４】
前記切片はその幅が前記支持部材の幅よりも狭く、前記切り欠きの端縁には面取りが施されていることを特徴とする請求項３に記載の釣竿収納ケース。
【請求項５】
前記支持部材は、その長手方向に沿って延びる両端縁が前記ケース本体の内面に嵌合することを特徴とする請求項１ないし請求項４のいずれか１項に記載の釣竿収納ケース。
【発明の詳細な説明】
【技術分野】
【０００１】
本発明は、釣竿を収納保持するための釣竿収納ケースに関する。
【背景技術】
【０００２】
釣竿を収納保持するための釣竿収納ケースは、従来から様々な形態のものが知られている。
【０００３】
例えば、特許文献１に開示される釣竿収納ケースは、内部に穂先竿を収納するための収納空間を有する本体部と、本体部の先端側に装着される上蓋と、上蓋に一端が連結され、前記本体部の収納空間内を長手方向に延びる線部材であって、他端に釣糸係止部分を有するワイヤとを備えており、本体部の収納空間内に穂先竿を収納して、ワイヤを穂先竿の釣糸ガイドに通すことにより、ワイヤにより穂先竿を収納空間内で位置決めして、穂先竿を本体部内に安定して収納しようとしている。
【０００４】
また、特許文献２に開示される釣竿収納ケースは、合成樹脂で透明の角筒状のケ−ス本体と、合成樹脂で透明で有底筒状の上下の蓋体とによって形成され、ケ−ス本体内には、紙板材の釣竿保持部材と、釣竿保持部材の先端に固定される先側釣竿保持部材とが挿入され、釣竿保持部材と先側釣竿保持部材とによって穂先側の釣竿が保持されるとともに、ケ−ス本体の中に元竿側の釣竿と竿袋とが挿入される。釣竿保持部材は紙板材の横幅の略中央が長手方向に左向きＬ字形と右向きＬ字形とに折り畳まれて起立部分が接合されて、長手方向の突堤部が形成され、突堤部には穂先側の釣竿の釣糸ガイドの間隔に合わせて釣糸ガイドの硬質ガイドが挾持される幅に形成された溝からなる挾持部が形成されている。
【先行技術文献】
【特許文献】
【０００５】
【特許文献１】特開２００５−７３５３０号
【特許文献２】特開２００１−９５４５１号
【発明の概要】
【発明が解決しようとする課題】
【０００６】
しかしながら、特許文献１に開示される釣竿収納ケースは、穂先竿の釣糸ガイドに通したワイヤのみによって穂先竿を本体部の収納空間内で支えているだけであるため、穂先竿が収納空間内で上下左右にガタつき易い。特に、穂先竿の上下方向（穂先竿の長手方向）の動きを規制するものがないため、運搬中などにおいて穂先竿がその長手方向に大きくガタ付き或いは本体内壁と激しく接触して屈曲する虞がある。
【０００７】
また、２本の竿杆を収納する特許文献２に開示される釣竿収納ケースは、釣竿保持部材および先側釣竿保持部材の形状が複雑であるとともに、ケース本体内で釣竿を安定して保持するために緩衝材を含めて様々な多数の部品を必要とする。すなわち、この特許文献２に開示される釣竿収納ケースは、形状が複雑であり、部品点数が多く、したがって、製造コストが高くなるとともに、釣竿の収納に手間もかかる。
【０００８】
本発明は、前記事情に着目してなされたものであり、その目的とするところは、穂先竿をガタ付きなく且つ屈曲させることなく安定して収納保持できるとともに、構造が簡単で収納が容易な低コストの釣竿収納ケースを提供することにある。
【課題を解決するための手段】
【０００９】
前記課題を解決するために、請求項１に記載の釣竿収納ケースは、扁平形状の穂先竿を収納する円筒状のケース本体と、前記ケース本体内に保持されるとともに、穂先竿を前記ケース本体内で支持する平板状の支持部材とを備え、前記支持部材は、穂先竿の少なくとも基端側に設けらた釣糸ガイドを嵌挿するための貫通孔と、該貫通孔に前記釣糸ガイドが嵌挿された状態で穂先竿の先端から突出して前記ケース本体の内側に嵌合保持される保持部とを有することを特徴とする。
【００１０】
この請求項１に記載の釣竿収納ケースによれば、穂先竿の釣糸ガイドを貫通孔に嵌挿して保持部をケース本体に嵌合保持させるだけで穂先竿をケース本体内に安定して収納保持することができる。特に、本構成では、貫通孔に釣糸ガイドが嵌挿された状態で穂先竿の先端から突出する保持部がケース本体の内側に嵌合保持されるため、穂先竿の上下方向（穂先竿の長手方向）の動きが効果的に規制され、運搬中などにおいて穂先竿がその長手方向に大きくガタ付いたりケース本体の内壁と激しく接触して屈曲する虞もない。また、穂先竿を支持する支持部材は単なる平板状を成しているにすぎないため、構造が簡単であり、したがって、低コストであるとともに、ケース本体に対する穂先竿の収納も容易となる。
【００１１】
また、請求項２に記載の釣竿収納ケースは、請求項１に記載の釣竿収納ケースにおいて、前記支持部材は、穂先竿を挟持するための挟持部を有することを特徴とする。
【００１２】
この請求項２に記載の釣竿収納ケースによれば、請求項１に記載の釣竿収納ケースと同様の作用効果が得られるとともに、穂先竿が挟持部によって更に支持されるため、穂先竿をケース本体内の所定位置に確実に固定でき、穂先竿のガタ付きがない安定した保持を確保できる。
【００１３】
また、請求項３に記載の釣竿収納ケースは、請求項１または請求項２に記載の釣竿収納ケースにおいて、前記挟持部は、前記支持部材に設けられる切り欠きによって形成される切片を有し、前記切り欠きに通される穂先竿を前記切片によって挟持することを特徴とする。
【００１４】
この請求項３に記載の釣竿収納ケースによれば、請求項１または請求項２に記載の釣竿収納ケースと同様の作用効果が得られるとともに、支持部材の構造を複雑化させることなく挟持部を簡単な形態で実現できる。
【００１５】
また、請求項４に記載の釣竿収納ケースは、請求項３に記載の釣竿収納ケースにおいて、前記切片はその幅が前記支持部材の幅よりも狭く、前記切り欠きの端縁には面取りが施されていることを特徴とする。
【００１６】
この請求項４に記載の釣竿収納ケースによれば、請求項３に記載の釣竿収納ケースと同様の作用効果が得られるとともに、ケース本体内に対する支持部材の挿入が容易となる。
【００１７】
また、請求項５に記載の釣竿収納ケースは、請求項１ないし請求項４のいずれか１項に記載の釣竿収納ケースにおいて、前記支持部材は、その長手方向に沿って延びる両端縁が前記ケース本体の内面に嵌合することを特徴とする。
【００１８】
この請求項５に記載の釣竿収納ケースによれば、請求項１ないし請求項４のいずれか１項に記載の釣竿収納ケースと同様の作用効果が得られるとともに、支持部材の長手方向に沿う両端縁がケース本体の内面に嵌合するため、支持部材の左右方向のガタ付きを確実に防止できる。
【発明の効果】
【００１９】
本発明によれば、穂先竿をガタ付きなく且つ屈曲させることなく安定して収納保持できるとともに、構造が簡単で収納が容易な低コストの釣竿収納ケースを提供することができる。
【図面の簡単な説明】
【００２０】
【図１】（ａ）は穂先竿をそのケース本体内に収納した状態の本発明の一実施形態に係る釣竿収納ケースの正面図、（ｂ）は（ａ）のＸ部拡大図、（ｃ）は（ａ）のＹ部拡大図である。
【図２】（ａ）は穂先竿をそのケース本体内に収納した状態の図１の釣竿収納ケースの側面図、（ｂ）は（ａ）のＡ−Ａ線に沿う断面図、（ｃ）は（ａ）のＢ−Ｂ線に沿う断面図である。
【図３】図１の釣竿収納ケースを構成する支持部材の平面図である。
【図４】ケース本体の収納空間内から支持部材と穂先竿とを取り出した状態を示す図１の釣竿収納ケースの分解図であり、（ａ）は穂先竿の斜視図、（ｂ）は支持部材の平面図、（ｃ）はケース本体（上蓋は図示せず）の斜視図である。
【発明を実施するための形態】
【００２１】
以下、本発明に係る釣竿収納ケースの一実施形態について具体的に説明する。  
図１，２，４に示されるように、本実施形態に係る釣竿収納ケース１は、扁平形状の穂先竿５０を収納する収納空間Ｓを形成する円筒状のケース本体１０と、ケース本体１０内に保持されるとともに、穂先竿５０をケース本体１０内で支持する平板状の支持部材２０とを備える。なお、図１および図２には、穂先竿５０を釣竿収納ケース１のケース本体１０内に収納した状態が、また、図４には、釣竿収納ケース１のケース本体１０の収納空間Ｓ内から支持部材２０と穂先竿５０とを取り出した状が、それぞれ示されている。
【００２２】
ケース本体１０内に支持部材２０により支持されて収納されるようになっている穂先竿５０は、本実施形態では、主にワカサギ釣りに適した構造となっており、図１の（ａ）および図４の（ａ）に明確に示されるように、所定の幅を有して長手方向に延びる竿杆５１と、竿杆５１に取り付けられて釣糸を案内する釣糸ガイド５２とを備える。この場合、竿杆５１は、横ブレを抑制してその感度を高める（ワカサギのような小魚の当たりを感知し易い）ように薄肉扁平形状に形成されており、その基端の穂先継ぎ部５５が図示しない糸巻き装置に着脱自在に結合されるようになっている。なお、前記糸巻き装置は、釣糸が巻回される糸巻き部（リール等）を有している。また、竿杆５１は、例えば、炭素繊維、ガラス繊維等の強化繊維に合成樹脂を含浸させたシート状の部材を複数枚積層し、これを加熱成形することで、各シート状の部材が層状に密着した扁平構造に形成されており、竿杆５１の表面に、前記糸巻き装置の糸巻き部から繰り出される釣糸を案内する前記釣糸ガイド５２が竿杆５１の長手方向に互いに所定の間隔を隔てて取り付けられている。
【００２３】
ケース本体１０は、穂先竿５０を収納する収納空間Ｓを形成する例えば透明材料（例えば、ポリカーボネイトなど）からなる筒体１０Ａと、筒体１０Ａの両側の開口端を閉塞するためのキャップ状の上蓋１０Ｂおよび底蓋１０Ｃとから成る。この場合、底蓋１０Ｃは、筒体１０Ａに着脱自在であってもよく或いは筒体１０Ａと一体に形成されてもよいが、上蓋１０Ｂは、筒体１０Ａの開口端１０ａ（図４の（ｃ）参照）を閉塞するように筒体１０Ａに対して着脱自在に取り付けられる。
【００２４】
穂先竿５０をケース本体１０内で支持する支持部材２０は、例えば好ましくはA-PET等の材料によって長尺な長方形状を成す平板として形成されており、特に図３および図４の（ｂ）に明確に示されるように、穂先竿５０の少なくとも基端側（穂先継ぎ部５５側）に設けらた釣糸ガイド５２を嵌挿するための貫通孔（本実施形態では、長方形または正方形の開口）２３を有する。特に、本実施形態では、穂先竿５０の全ての釣糸ガイド５２（本実施形態では７個）を嵌挿することができる数（本実施形態では７個）の貫通孔２３が支持部材２０の長手方向に沿って釣糸ガイド５２の設置間隔に合わせて互いに離間して設けられている。
【００２５】
また、支持部材２０は、対応する釣糸ガイド５２が各貫通孔２３に嵌挿された状態（図１の（ａ）および図２の（ａ）の状態）で穂先竿５０の先端から突出してケース本体１０の内側に嵌合保持される保持部２０ｃを有する。特に本実施形態において、支持部材２０は、対応する釣糸ガイド５２が各貫通孔２３に嵌挿された状態（図１の（ａ）および図２の（ａ）の状態）では、その下縁部２０ｄが穂先竿５０の穂先継ぎ部５５の上端から所定の距離Ｌだけ離間された状態で位置決めされ（図１の（ａ）参照）、その状態で穂先竿５０と共にケース本体１０（筒体１０Ａ）内に収納されて穂先竿５０の穂先継ぎ部５５の下端が底蓋１０Ｃの底面に当て付くと、その保持部２０ｃが上蓋１０Ｂの内側に嵌合するように、その長さ寸法が設定されている（あるいは、そのような嵌合を実現するべく、上蓋１０Ｂの大きさ及びケース本体１０の長さ寸法等が設定されている）。
【００２６】
また、支持部材２０は、筒体１０Ａ内に収容された状態でその長手方向に沿って延びる両端縁２０ａ，２０ｂが筒体１０Ａの内面に嵌合するように、その幅寸法が設定されている。
【００２７】
更に、支持部材２０は、穂先竿５０を挟持するための挟持部を有する。特に本実施形態において、支持部材２０は、保持部２０ｃが位置される上側および下端縁２０ｄが位置する下側の２か所に２つの挟持部３０Ａ，３０Ｂを有している。上側の第１の挟持部３０Ａは、支持部材２０の幅方向に沿って延び且つ互いに長手方向に所定の間隔を隔てて設けられる２つの切り欠き２２，２２によってそれらの間に形成される第１の切片２８Ａを有しており、図１の（ａ）に示されるように切り欠き２２，２２に通される穂先竿５０の竿杆５１を切片２８Ａとの間で挟持するようになっている（この場合、切片２８Ａは竿杆５１の表側または裏側のいずれに位置されてもよい；図１（ａ）では切片２８Ａが竿杆５１の裏側に位置されている）。
【００２８】
なお、図１の（ｂ）に明確に示されるように、第１の切片２８Ａはその幅が支持部材２０の幅よりも狭く設定されている。すなわち、第１の切片２８Ａの幅寸法は、支持部材２０の幅寸法よりも所定の寸法分Ｗだけ小さくなっている。また、第１の切片２８Ａを形成する２つの切り欠き２２の少なくとも一方の端縁には面取り２５が施されている。
【００２９】
一方、支持部材２０の下側に設けられる第２の挟持部３０Ｂは、支持部材２０の幅方向に沿って延びる切り欠き２２と下端縁２０ｄとの間に形成される第２の切片２８Ｂを有しており、図１の（ａ）に示されるように切り欠き２２に通される穂先竿５０の竿杆５１を切片２８Ｂとの間で挟持するようになっている（この場合、切片２８Ｂは竿杆５１の表側または裏側のいずれに位置されてもよい；図１（ａ）では切片２８Ｂが竿杆５１の裏側に位置されている）。
【００３０】
なお、図１の（ｃ）に明確に示されるように、第２の切片２８Ｂを形成する切り欠き２２の端縁には面取り２５が施されている。
【００３１】
以上のように構成される釣竿収納ケース１内に穂先竿５０を収納する場合には、まず、図４に示されるように互いに別個に位置される穂先竿５０と支持部材２０とを組み付ける。具体的には、穂先竿５０の各釣糸ガイド５２を支持部材２０の対応する貫通孔２３に嵌挿するとともに、竿杆５１を第１の挟持部３０Ａおよび第２の挟持部３０Ｂの切り欠き２２に通し、支持部材２０が第１および第２の切片２８Ａ，２８Ｂとの間で竿杆５１を挟持できる（図２参照）ようにする。この組み付け挟持状態では、図１の（ａ）に示されるように、支持部材２０は、その下縁部２０ｄが穂先竿５０の穂先継ぎ部５５の上端から所定の距離Ｌだけ離間された状態で位置決めされる。そして、この状態で、今度は、支持部材２０を穂先竿５０と共に筒体１０Ａの上端開口１０ａからケース本体１０（筒体１０Ａ）内へ挿入する。
【００３２】
この挿入時においては、支持部材２０の両端縁２０ａ，２０ｂが筒体１０Ａの内面に沿って摺動案内されるとともに、第１の切片２８Ａの幅狭い寸法と切り欠き２２に設けられた面取り２５とによって挿入がスムーズになされる。そして、穂先竿５０の穂先継ぎ部５５の下端が底蓋１０Ｃの底面に当て付いた状態で、筒体１０Ａの上端開口１０ａに上蓋１０Ｂを嵌め付けると、穂先竿５０の先端から突出する支持部材２０の保持部２０ｃが上蓋１０Ｂの内側に嵌合保持される。この状態が図１および図２に示されている。この状態では、支持部材２０は、その保持部２０ｃが上蓋１０Ｂの内側に嵌合保持されることにより上下方向で位置決めされるとともに、その両端縁２０ａ，２０ｂが筒体１０Ａの内面に嵌合されることにより左右方向で位置決めされる。したがって、釣糸ガイド５２と貫通孔２３との嵌挿状態により支持部材２０に対して左右上下で支持固定される穂先竿５０も、ケース本体１０内で上下左右にガタ付くことなく保持されて所定位置に位置決め固定される。
【００３３】
なお、この収納状態から穂先竿５０をケース本体１０から取り出す場合には、筒体１０Ａから上蓋１０Ｂを外して、筒体１０Ａの上端開口１０ａを通じて支持部材２０と共に穂先竿５０を筒体１０Ａから抜き出せばよい。その後、支持部材２０を穂先竿５０から取り外せば、穂先竿５０を使用できる。
【００３４】
以上説明したように、本実施形態によれば、穂先竿５０の釣糸ガイド５２を支持部材２０の貫通孔２３に嵌挿して、支持部材２０の保持部２０ｃをケース本体１０（本実施形態では、上蓋１０Ｂ）に嵌合保持させるだけで、穂先竿５０をケース本体１０内に安定して収納保持することができる。特に、本実施形態では、貫通孔２３に釣糸ガイド５２が嵌挿された状態で穂先竿５０の先端から突出する保持部２０ｃがケース本体１０Ａの内側に嵌合保持されるため、穂先竿５０の上下方向（穂先竿５０の長手方向）の動きが効果的に規制され、運搬中などにおいて穂先竿５０がその長手方向に大きくガタ付いたりケース本体１０の内壁と激しく接触して屈曲する虞もない。また、穂先竿５０を支持する支持部材２０は単なる平板状を成しているにすぎないため、構造が簡単であり、したがって、低コストであるとともに、ケース本体１０に対する穂先竿の収納も容易となる。
【００３５】
また、本実施形態では、穂先竿５０が支持部材２０の挟持部３０Ａ，３０Ｂによって更に支持されるため、穂先竿５０をケース本体１０内の所定位置に確実に固定でき、穂先竿５０のガタ付きがない安定した保持を確保できる。
【００３６】
また、本実施形態において、挟持部３０Ａ，３０Ｂは、支持部材２０に設けられる切り欠き２２によって形成される切片２８Ａ，２８Ｂを有し、切り欠き２２に通される穂先竿５０を切片２８Ａ，２８Ｂによって挟持するようになっているため、支持部材２０の構造を複雑化させることなく挟持部３０Ａ，３０Ｂを簡単な形態で実現できる。
【００３７】
また、本実施形態では、第１の切片２８Ａの幅が支持部材２０の幅よりも狭く、第１および第２の挟持部３０Ａ，３０Ｂを形成する切り欠き２２の端縁に面取り２５が施されているため、ケース本体１０内に対する支持部材２０の挿入が容易となる。
【００３８】
また、本実施形態では、支持部材２０の長手方向に沿う両端縁２０ａ，２０ｂがケース本体１０の内面に嵌合するため、支持部材２０の左右方向のガタ付きを確実に防止できる。
【００３９】
また、本実施形態によれば、穂先竿５０の対応する釣糸ガイド５２が支持部材２０の各貫通孔２３に嵌挿された状態で、支持部材２０の下縁部２０ｄが穂先竿５０の穂先継ぎ部５５の上端から所定の距離Ｌだけ離間された状態で位置決めされるため、穂先継ぎ部５５の上端の形状によらず、穂先竿５０のガタ付きを防止できる。
【００４０】
以上、本発明の実施形態について説明したが、本発明は、前述した実施形態に限定されず、その要旨を逸脱しない範囲で種々変形して実施できる。例えば、前述した実施形態において、挟持部は支持部材の上下の２か所に設けられているが、本発明において、挟持部の数、位置、および、形態は適宜任意に設定し或いは設計できる。また、前述した実施形態では、支持部材の保持部がケース本体を構成する上蓋の内側に嵌合保持されるが、保持部が筒体に嵌合保持されてもよい。また、前述した実施形態では、第１の切片の幅が支持部材の幅よりも狭く設定されているが、これに加えて或いはこれに代えて、第２の切片の幅が支持部材の幅よりも狭く設定されてもよい。また、前述した実施形態では、第１の挟持部を形成する２つの切り欠きの一方のみに面取りが施されているが、第１の挟持部を形成する２つの切り欠きの両方の端縁に面取りが施されてもよい。
【符号の説明】
【００４１】
１  釣竿収納ケース
１０  ケース本体
２０  支持部材
２０ａ，２０ｂ  端縁
２０ｃ  保持部
３０Ａ，３０Ｂ  挟持部
５０  穂先竿
５２  釣糸ガイド
２２  切り欠き
２５  面取り
２８Ａ，２８Ｂ  切片
【図１】
2014023465.tif 000003
【図２】
2014023465.tif 000004
【図３】
2014023465.tif 000005
【図４】
2014023465.tif 000006